(57)【要約】      （修正有）【課題】人の目の残像現象を利用した動画の原理に基づきつつ、ユーザーが、より本物に近い感覚や迫力を体感することのできる回転模型装置を提供する。【解決手段】円盤１と、円盤を回転させる回転台１５と、円盤上であって、円盤の回転中心を中心とする円上の周方向に略等間隔に配置される複数の立体模型５と、回転台に設けられ、立体模型を照射する光源９と、円盤の所定の位置を検出するセンサ１１とを具備する回転模型装置であって、立体模型は、隣り合う立体模型の形状が連続して変化するように配置され、センサが円盤の所定の位置を検出したときに、光源は、光源に対する所定の位置の立体模型を照射し、照射位置において、立体模型が連続して動作するように視認可能な回転模型装置である。【選択図】図１
0003189988.tif 000002
【実用新案登録請求の範囲】
【請求項１】
円盤と、
前記円盤を回転させる回転台と、
前記円盤上であって、前記円盤の回転中心を中心とする円上の周方向に略等間隔に配置される複数の立体模型と、
前記回転台に設けられ、前記立体模型を照射する光源と、
前記円盤の所定の位置を検出するセンサと、
を具備する回転模型装置であって、
前記立体模型は、隣り合う前記立体模型の形状が連続して変化するように配置され、
前記センサが前記円盤の所定の位置を検出したときに、前記光源は、前記光源に対する所定の位置の前記立体模型を照射し、照射位置において、前記立体模型が連続して動作するように視認可能であることを特徴とする回転模型装置。
【請求項２】
前記光源は、照射される前記立体模型の位置から離間して設けられることを特徴とする請求項１に記載の回転模型装置。
【請求項３】
前記回転台は、前記円盤の回転速度を変更可能であることを特徴とする請求項１または請求項２に記載の回転模型装置。
【請求項４】
前記回転台に対して、前記円盤が着脱可能であることを特徴とする請求項１から請求項３のいずれかに記載の回転模型装置。
【請求項５】
前記光源は複数配置されることを特徴とする請求項１から請求項４のいずれかに記載の回転模型装置。
【考案の詳細な説明】
【技術分野】
【０００１】
本考案は、立体模型の連続する動作を視認可能な回転模型装置に関する。
【背景技術】
【０００２】
従来より、ゾートローブ（回転のぞき絵）という、静止画を素早く入れ替えることで、あたかも動いているかのように見せる装置が知られている。この装置は、円筒の内面に、静止画が連続写真のように並んでいる。また、円筒の側面には縦にスリットが形成されている。この円筒を回転させながら、スリットから内側を覗くと、絵が動いているように見えるという仕組みである。これは、人の目の残像現象を利用した動画の原理である。
【０００３】
また、このような技術や原理を子ども向けにわかりやすく説明する学習教材が提案されている（特許文献１）。
【先行技術文献】
【特許文献】
【０００４】
【特許文献１】実登第３００４０８０号
【考案の概要】
【考案が解決しようとする課題】
【０００５】
上記技術は、平面画像を用いるため、動画として見ることはできるが、ユーザーにとって本物に近い感覚や迫力に欠けるところがある。
【０００６】
本考案は、このような問題に鑑みてなされたもので、人の目の残像現象を利用した動画の原理に基づきつつ、ユーザーが、より本物に近い感覚や迫力を体感することのできる回転模型装置を提供することを目的とするものである。
【課題を解決するための手段】
【０００７】
前述した目的を達成するために、本考案は、円盤と、前記円盤を回転させる回転台と、前記円盤上であって、前記円盤の回転中心を中心とする円上の周方向に略等間隔に配置される複数の立体模型と、前記回転台に設けられ、前記立体模型を照射する光源と、前記円盤の所定の位置を検出するセンサとを具備する回転模型装置であって、前記立体模型は、隣り合う前記立体模型の形状が連続して変化するように配置され、前記センサが前記円盤の所定の位置を検出したときに、前記光源は、前記光源に対する所定の位置の前記立体模型を照射し、照射位置において、前記立体模型が連続して動作するように視認可能であることを特徴とする回転模型装置である。
【０００８】
本考案によれば、回転台によって円盤が回転すると、センサが、円盤の所定の位置を回転方向に沿って順に検出する。これに応じて、光源は、光源に対する所定の位置の立体模型を順に照射する。すなわち、センサが所定位置を検知して光源が照射する瞬間には、立体模型の一つが照射対象位置を通過する。
【０００９】
円盤上の立体模型は、円上の周方向に略等間隔に配置されているので、光源が立体模型を照射するタイミングも等間隔となる。こうして、照射位置においては、連続して変化する形状の立体模型が等間隔で照射されることとなり、ユーザーは、立体模型があたかも連続して動作するように視認することができる。
【００１０】
したがって、ユーザーがより本物に近い感覚や迫力を体感することができる。
【００１１】
また、前記光源は、照射される前記立体模型の位置から離間して設けられるようにしてもよい。
【００１２】
このような構成とすることで、ユーザーが立体模型を視認する際に、光源が妨げにならず、全方位から良好に視認することができる。
【００１３】
また、前記回転台は、前記円盤の回転速度を変更可能であってもよい。
【００１４】
このような構成とすることで、例えば、立体模型の連続する動作を詳細に確認したいときには速度を遅くしたり、滑らかな動作を視認したいときには速度を速めたりするなど、ユーザーのニーズに対応することができる。
【００１５】
さらに、前記回転台に対して、前記円盤が着脱可能であってもよい。
【００１６】
このような構成とすることで、一つの回転台に対して、複数の円盤を交換することができる。したがって、ユーザーは、多種類の立体模型から好みのものを選択して楽しむことができる。
【００１７】
さらに、前記光源は複数配置されるようにしてもよい。
【００１８】
このように光源を複数配置すると、一つの立体模型を異なる方向から照射することができ、立体模型を各方向から良好に視認することができる。あるいは、複数の光源がそれぞれ異なる立体模型を照射すれば、複数のユーザーが多方向から立体模型の動作を視認することができる。
【考案の効果】
【００１９】
本考案によれば、人の目の残像現象を利用した動画の原理に基づきつつ、ユーザーが、より本物に近い感覚や迫力を体感することのできる回転模型装置を提供することができる。
【図面の簡単な説明】
【００２０】
【図１】回転模型装置１００の全体構成図。
【図２】円盤１の上面図。
【図３】回転台１５の斜視図。
【図４】回転台１５の背面図。
【図５】光源９の照射位置において模型５の形状が連続して変化することを示す図。
【図６】センサによるスリットの検出と、光源による立体模型の照射との対応を説明する図。
【図７】光源を複数配置した第２の実施形態を示す図。
【図８】光源を複数配置した第３の実施形態を示す図。
【考案を実施するための形態】
【００２１】
以下、図面を参照にしながら本考案の実施形態について説明する。
【００２２】
はじめに、図１を参照に、回転模型装置１００の全体構成について説明する。回転模型装置１００は、主に円盤１と回転台１５により構成される。
【００２３】
円盤１には、複数の模型５が、円盤１の回転中心を中心とする円上の周方向に略等間隔に配置されている。また、隣り合う模型５の形状が連続して変化するように配置されている。
【００２４】
円盤１の円周縁の模型５と略同じ位置には、スリット７が形成されている。スリット７は、後述するセンサ１１が、円盤１の回転位置を検出するためのものである。さらに、円盤１の中心部には、円盤穴３が形成されている。
【００２５】
回転台１５には、模型５を照射するための光源９が設けられている。また、光源９の円盤１近傍にはセンサ１１が設けられている。軸１７は、円盤穴３を嵌合させて円盤１を回転台１５に装着させる。ダイヤル１９は回転台１５に装着された円盤１の回転速度を変更する。
【００２６】
続いて、図２、図３、および図４を参照に、回転模型装置１００の各部について説明する。
【００２７】
図２は、円盤１の上面図である。円盤１を上面から見ると、上述したように、模型５は、円盤１の円盤穴３を中心とする円上の周方向に略等間隔に配置される。また、スリット７が、模型５の配置された位置の円周縁にそれぞれ形成される。
【００２８】
図３は、回転台１５の斜視図である。回転台１５の上面のセンサ１１に対向する位置には、センサ受光部１３が設けられる。センサ１１はレーザー発光部であり、センサ受光部１３により検出される。具体的には、円盤１が回転台１５に装着されて回転するときに、円盤１のスリット７とスリット７以外の円周縁とを識別する。この検出結果に応じて、光源９が、光源９に対する所定の位置の模型５を照射する。すなわち、本装置は、特に、暗所で使用されることが望ましい。なお、センサ１１の種類としては、これに限るものではない。また、光源９が模型５を照射する照射位置については、図６を参照に後述する。
【００２９】
図４は、回転台１５の背面部に設けられたスイッチ２１とダイヤル１９である。スイッチ２１のＯＮ、ＯＦＦにより、円盤１の回転、停止がなされる。また、ダイヤル１９を図中矢印の方向に回すことで、円盤の回転速度を調節することができる。
【００３０】
以上の構成を有する回転模型装置１００において、スイッチ２１がＯＮされると、回転台１５によって円盤１が回転する。スリット７以外の位置にセンサ１１がある時には、光源９は消灯している。円板１が回転することで、センサ１１とセンサ受光部１３とにより、円盤１のスリット７が回転方向に沿って順に検出される。センサ１１の位置をスリット７が通過する際に、光源９が点灯し、光源９に対する所定の位置の模型５を順に照射する。
【００３１】
模型５とスリット７は円盤１上の周方向に略等間隔に配置されているので、光源９が模型５を照射するタイミングも等間隔となる。こうして、図５に示すように、照射位置においては、連続して変化する形状の模型５が順次照射される。また、模型が照射位置から外れている間は、光源９が消灯する。すなわち、光源９は、点灯と消灯とを繰り返し、模型が所定の位置にあるときのみ、瞬間的に当該模型が照射される。したがって、ユーザーは、模型５があたかも連続して動作するように視認することができる。したがって、ユーザーが、より本物に近い感覚や迫力を体感することができる。
【００３２】
また、回転台１５は、円盤１の回転速度を変更可能であるので、例えば、模型５の連続する動作を詳細に確認したいときには速度を遅くしたり、滑らかな動作を視認したいときには速度を速めたりするなど、ユーザーのニーズに対応することができる。
【００３３】
さらに、回転台１５に対して、円盤１が着脱可能であるので、円盤１だけでなく複数の円盤を交換することができる。したがって、ユーザーは、多種類の模型から好みのものを選択して楽しむことができる。
【００３４】
続いて、センサ１１とセンサ受光部１３とがスリット７を検出したときの、光源９が模型５を照射する照射位置について、図６を参照に説明する。ここでは、模型５のそれぞれをＡ〜Ｆ、スリット７をａ〜ｆとする。
【００３５】
図６（ａ）は、円盤１のスリットａが、図中矢印方向に回転中に、センサ１１と図示しないセンサ受光部１３との間を通過する状態を示す。また、図６（ｂ）は、円盤１のスリット外の円周縁が、センサ１１と図示しないセンサ受光部１３との間を通過する状態を示す。
【００３６】
図６（ａ）のとき、上述した、光源９は例えば模型Ｂを照射する。すなわち、光源９は照射される模型の位置から離間しており、その照射位置は、検出されたスリットの、回転方向一つ後方の模型となる。続く、図６（ｂ）では、スリットが検出されないので、光源９が消える。
【００３７】
このように、図６（ａ）と図６（ｂ）の状態を繰り返しながら円盤１が回転を続けると、センサ１１は、スリットｂ、スリットｃ、スリットｄ、スリットｅ、スリットｆの順に等間隔に検出する。これに対応して、光源９は、模型Ｃ、模型Ｄ、模型Ｅ、模型Ｆ、模型Ａの順に等間隔に照射する。
【００３８】
このように、光源９は照射される模型の位置から離間して設けられる。このため、ユーザーが、光源９の照射位置において、模型を視認する際に、光源９が妨げにならず、全方位から良好に視認することができる。
【００３９】
次に、回転模型装置１００の他の実施例について図７および図８を参照しつつ説明する。これらの実施例は、光源を複数配置したものである。なお、以下の説明において、回転模型装置１００と同様の構成については、これまでの図面と同一の番号を付し、重複する説明を省略する。
【００４０】
図７において、光源９と対向する位置に光源３１とセンサ３３を設けられている。センサ１１がスリットａを検出すると光源９が模型Ｂを照射するのと同様に、センサ３３がスリットｄを検出すると、光源３１は模型Ｅを照射する。すなわち、光源３１も照射される模型の位置から離間しており、その照射位置は、検出されたスリットの、回転方向一つ後方の模型となる。
【００４１】
このように、二つの光源がそれぞれ異なる模型を照射すれば、複数のユーザーが多方向から模型の動作を視認することができる。
【００４２】
また、図８において、光源９と光源３５が、模型Ｂを挟み込むように設けられている。センサ１１がスリットａを検出して、光源９が模型Ｂを照射するとき、センサ３７がスリットｃを検出して、光源３５も模型Ｂを照射する。すなわち、光源３５も照射される模型の位置から離間しており、その照射位置は、検出されたスリットの、回転方向一つ前方の模型となる。
【００４３】
このように複数の光源によって一つの模型を異なる方向から照射すると、全方位から模型を良好に視認することができる。
【００４４】
以上、添付図を参照しながら、本考案の実施の形態を説明したが、本考案の技術的範囲は、前述した実施の形態に限るものではない。
【００４５】
本実施の形態においては動物の走る様を模型としたが、スポーツ選手の動作、例えば、ゴルフや野球のスイングを模型とすれば、本物に近い感覚で動作を確認することができ、ユーザーの練習の役立てることができる。
【００４６】
また、当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００４７】
１………円盤
３………円盤穴
５………模型
７………スリット
９、３１、３５………光源
１１、３３、３７………センサ
１３………センサ受光部
１５………回転台
１７………軸
１９………ダイヤル
２１………スイッチ
１００………回転模型装置
【図１】
0003189988.tif 000003
【図２】
0003189988.tif 000004
【図３】
0003189988.tif 000005
【図４】
0003189988.tif 000006
【図５】
0003189988.tif 000007
【図６】
0003189988.tif 000008
【図７】
0003189988.tif 000009
【図８】
0003189988.tif 000010